(57)【要約】      （修正有）【課題】ダウンロードデバイスを備え、長時間の処理が必要なタスクをダウンロードデバイスに移して実行させるコンピュータシステムを提供する。【解決手段】コンピュータシステム１００は接続インターフェース１２０、ダウンロードデバイス１３０および１つの第１のコンピュータ装置１１０、１１２または１１４を含む。第１のコンピュータ装置１１０、１１２または１１４はスクリプトファイルを生成する。ダウンロードデバイス１３０は接続インターフェース１２０を介して第１のコンピュータ装置１１０、１１２または１１４に接続され、処理ユニット１３２、ネットワークインターフェース１３４および保存ユニット１３６を含む。ダウンロードデバイス１３０と第１のコンピュータ装置１１０、１１２または１１４の接続切断時に、処理ユニット１３２は、スクリプトファイルの内容に基づき、対応するダウンロードインストラクションを探して実行することができる。【選択図】図１
2008158603.tif 000002
【特許請求の範囲】
【請求項１】
スクリプトファイルを生成する少なくとも１つの第１のコンピュータ装置と、
接続インターフェースと、
前記接続インターフェースを介して前記第１のコンピュータ装置に接続され、処理ユニット、ネットワークインターフェースおよび保存ユニットを含むダウンロードデバイスと、
を含むコンピュータシステムであって、
前記ダウンロードデバイスと前記第１のコンピュータ装置の接続が切断されているときに、前記処理ユニットは、前記スクリプトファイルの内容に基づいて、前記保存ユニット中の少なくとも１つのダウンロードインストラクションを実行することができ、前記ダウンロードインストラクションが完了した後、ダウンロードしたデータを生成し前記保存ユニットに保存する、
ことを特徴とするコンピュータシステム。
【請求項２】
前記第１のコンピュータ装置が、前記スクリプトファイルを生成するのに使用するユーザーインターフェースを含むことを特徴とする請求項１に記載のコンピュータシステム。
【請求項３】
さらに、前記接続インターフェースを介して前記ダウンロードの結果にアクセスする複数のコンピュータ装置を含むことを特徴とする請求項１または請求項２に記載のコンピュータシステム。
【請求項４】
前記ネットワークインターフェースは有線ネットワークインターフェース、無線ネットワークインターフェースまたは両者であることを特徴とする請求項１から請求項３のいずれか１項に記載のコンピュータシステム。
【請求項５】
前記処理ユニットがＳＯＰＣであることを特徴とする請求項１記載から請求項３のいずれか１項に記載のコンピュータシステム。
【請求項６】
前記ＳＯＰＣがＡＲＭプロセッサを含むことを特徴とする請求項５に記載のコンピュータシステム。
【請求項７】
前記ダウンロードデバイスが、さらに
ＤＶＢプログラム信号を受信する受信アンテナと、
受信された前記ＤＶＢ信号を処理する信号処理ユニットと、
を含むことを特徴とする請求項１記載から請求項６いずれか１項に記載のコンピュータシステム。
【請求項８】
前記信号処理ユニットがＤＶＢ信号処理モジュールを含むことを特徴とする請求項７に記載のコンピュータシステム。
【請求項９】
前記信号処理ユニットがケーブルＴＶ信号処理モジュールを含むことを特徴とする請求項７に記載のコンピュータシステム。
【請求項１０】
前記ダウンロードインストラクションがＰ２Ｐのダウンロードインストラクションであることを特徴とする請求項１記載から請求項９いずれか１項に記載のコンピュータシステム。
【請求項１１】
前記ダウンロードインストラクションがＤＶＢ録画ダウンロードインストラクションであることを特徴とする請求項１記載から請求項１０のいずれか１項に請求項１記載のコンピュータシステム。
【請求項１２】
前記接続インターフェースがＵＳＢまたはネットワークインターフェースであることを特徴とする請求項１記載から請求項１１いずれか１項に記載のコンピュータシステム。
【請求項１３】
前記保存ユニットがＳＲＡＭ、ＦＬＡＳＨメモリおよびハードディスクを含むことを特徴とする請求項１記載から請求項１２のいずれか１項に記載のコンピュータシステム。
【請求項１４】
第１のコンピュータ装置によりスクリプトファイルが生成されるステップと、
ダウンロードデバイスにより、該ダウンロードデバイスと前記第１のコンピュータ装置の接続が切断されているときに、前記スクリプトファイルの内容に基づいて、対応するダウンロードインストラクションが探し出され実行されるステップと、
前記ダウンロードインストラクションが完了した後、前記ダウンロードデバイスに、ネットワークからダウンロードしたデータが保存されるステップと、
を含むことを特徴とするデータ転送方法。
【請求項１５】
前記第１のコンピュータ装置から前記スクリプトファイルが送られた後に、前記第１のコンピュータ装置が電源オフされるステップをさらに含む請求項１４に記載のデータ転送方法。
【請求項１６】
さらに、少なくとも１つの第２のコンピュータ装置により、前記ダウンロードの結果にアクセスされるステップを含むことを特徴とする請求項１４記載または請求項１５に記載のデータ転送方法。
【請求項１７】
さらに、前記スクリプトファイルを生成するのに用いられるユーザーインターフェースを提供するステップを含むことを特徴とする請求項１４から請求項１６のいずれか１項に記載のデータ転送方法。
【請求項１８】
さらに、前記スクリプトファイルがＰ２Ｐスクリプトファイルである場合にＰ２Ｐダウンロードインストラクションが実行され、前記スクリプトファイルがＤＶＢ録画スクリプトファイルである場合にＤＶＢ録画ダウンロードインストラクションが実行されるステップを含むことを特徴とする請求項１４から請求項１７のいずれか１項に記載のデータ転送方法。
【請求項１９】
前記ダウンロードデバイスの処理ユニットが前記ダウンロードインストラクションを実行し、前記対応するダウンロードインストラクションおよび前記ダウンロードの結果は、前記ダウンロードデバイスの保存ユニットに保存されることを特徴とする請求項１４から請求項１８のいずれか１項に記載のデータ転送方法。
【発明の詳細な説明】
【技術分野】
【０００１】
本発明はデータ転送に用いるシステムおよび方法に関し、より詳細にはピアツーピア（Ｐ２Ｐ）データ転送を行うためのコンピュータシステムおよび方法に関するものである。
【背景技術】
【０００２】
現在、ネットワーク上では、コンピュータ間でのデータ転送が広く行われている。ピアツーピア（Ｐ２Ｐ）のデータ転送は高速である上、各種タイプのデータをサポートし、かつマルチユーザーを実現できるため、その利用者がますます増えている。通常、Ｐ２Ｐデータ転送を行う際、例えばパーソナルコンピュータ（ＰＣ）またはノートブックコンピュータなどのコンピュータ装置は、所望のファイルの長さ、名称およびハッシング情報を記述したスクリプトファイル、ならびにトラッカーのユーアールエル（ＵＲＬ）を必要とする。例えば、ＢｉｔＴｏｒｒｅｎｔ（登録商標）を用いてネットワークからファイルをダウンロードするには、先ずウェブサイトを検索してトレントファイル（拡張子が.torrentであるファイル）を探し出しダウンロードしてから、そのファイルをダウンロード先の装置のＢｉｔＴｏｒｒｅｎｔ（ＢＴ）クライアントで開くと、ＢＴクライアントがインターネットを介してシーダーおよび／またはピアから所望のファイルをダウンロードする。ネットワーク回線容量には制限があるので、ダウンロードされるファイルが例えばマルチメディアファイルのように大きい場合はダウンロードにかかる時間が長くなるが、Ｐ２Ｐデータ転送を実行するコンピュータ装置は転送の間中オンとなっていなければならないため、大量の電力を消費する。また、ダウンロードしたファイルは、該ＢＴクライアントを実行したコンピュータ装置にしか保存されないので、異なるコンピュータ装置間でのデータシェアリング（データの共有化）の点で不便である。
【発明の開示】
【発明が解決しようとする課題】
【０００３】
上述に鑑みて、本発明の目的は、独立したダウンロードデバイスを備え、長い処理時間が必要なタスクを該ダウンロードデバイスに移して実行させるコンピュータシステムを提供することにある。また、本発明は、データ転送方法を提供することも目的とする。
【課題を解決するための手段】
【０００４】
上記目的を達成するため、本発明の１実施形態によるコンピュータシステムは、接続インターフェース、ダウンロードデバイスおよび少なくとも１つの第１のコンピュータ装置を含む。第１のコンピュータ装置はスクリプトファイルを生成する。ダウンロードデバイスは接続インターフェースを介して第１のコンピュータ装置に接続され、かつ、処理ユニット、ネットワークインターフェースおよび保存ユニットを含む。ダウンロードデバイスと第１のコンピュータ装置の接続を切断したときに、処理ユニットは、スクリプトファイルの内容に基づいて、保存ユニット中の少なくとも１つの対応するダウンロードインストラクション（download instruction）を見つけて実行することができ、ダウンロードインストラクションが完了した後、ダウンロードしたデータ（downloaded data）を生成し保存ユニットに保存する。
【０００５】
また、本発明のデータ転送方法は、第１のコンピュータ装置によりスクリプトファイルが生成されるステップ、スクリプトファイルの内容に基づいて、ダウンロードデバイスにより対応するダウンロードインストラクションが実行されるステップ、およびダウンロードインストラクションが完了した後、スクリプトファイルの内容に基づいて、ネットワークからダウンロードしたデータがダウンロードデバイスに保存されるステップを含む。
【発明の効果】
【０００６】
本発明によれば、長時間の処理を要するタスクを、コンピュータシステム内で独立したダウンロードデバイスに移して実行させることができるので、消費電力が大幅に低減されると共に、異なるコンピュータ装置間におけるデータシェアリングが容易となる。
【発明を実施するための最良の形態】
【０００７】
本発明の上述およびその他の目的、特徴ならびに長所がより明らかに理解されるよう、以下に好ましい実施形態を挙げ、図面と対応させながら詳細に説明する。
以下に記載するのは、本発明を実施するのに最良であると考えられる形態である。この記載は、本発明の一般的原理を説明することを目的としたもので、限定の意味に取られてはならない。本発明の範囲は添付の特許請求の範囲を参照に判断されるべきである。
【０００８】
図１は本発明によるコンピュータシステムの１実施形態を示すものである。コンピュータシステム１００は、コンピュータ装置１１０、１１２および１１４、ならびにダウンロードデバイス１３０から主として構成され、コンピュータ装置１１０、１１２および１１４は接続インターフェース１２０を介してそれぞれダウンロードデバイス１３０に接続されている。この実施形態では、接続インターフェース１２０として、コンピュータ装置１１０、１１２および１１４とダウンロードデバイス１３０間におけるデータシェアリングまたは転送を実現させる、例えばイーサーネットネットワークインターフェースである有線ネットワークインターフェース（ＬＡＮ）、例えば８０２．１１ａ／ｂ／ｇネットワークインターフェースである無線ネットワークインターフェース（ＷＬＡＮ）、またはＵＳＢインターフェースを用いることができる。各コンピュータ装置は、スクリプトファイルの作成、変更またはレビュー（review）を可能とするユーザーインターフェースをそれぞれ備えている。
【０００９】
ダウンロードデバイス１３０は接続インターフェース１２０を介してコンピュータ装置に接続され、かつ、処理ユニット１３２、ネットワークインターフェース１３４および保存ユニット１３６から主として構成されている。処理ユニット１３２は指定したタスクを実行すると共に、対応するダウンロードインストラクション（download instruction）を起動する。ネットワークインターフェース１３４は、物理ネットワーク例えばインターネットに接続する有線または無線ネットワークインターフェースであり、ダウンロードデバイス１３０が特定のデータやファイルをネットワークからダウンロードできるようにするものである。保存ユニット１３６は、スクリプトファイルを実行するためのダウンロードインストラクションを含んでいる。さらに保存ユニット１３６には、ダウンロードインストラクションが完了した後の、ダウンロードが完了したファイルも保存される。ダウンロードインストラクションは、スクリプトファイルに指定したタスクを実行可能な１以上のプログラムを含む。例えば、ダウンロードインストラクションは、ＢＴクライアントなどのようなＰ２Ｐダウンロードの実行が可能なプログラムであってもよい。１例として、例えば、コンピュータ装置１１０がＢＴスクリプトファイルを提供し、ダウンロードデバイス１３０の保存ユニット１３６が、対応するＢＴプログラムの実行ファイルを保存している場合を例示すると、ダウンロードデバイス１３０はＢＴスクリプトファイルに基づいて指定したダウンロードインストラクションを実行できることとなる。この実施形態では、保存ユニット１３６は、例えばＦＬＡＳＨメモリ１３６２、ＳＲＡＭ１３６４、ハードディスク１３６６など任意の種類の保存メディアを含んでいてもよい。ＦＬＡＳＨメモリ１３６２は、メモリマネジメントおよびタスクスケジューリングを行う埋め込みシステム（embedded system）を有し、ハードディスク１３６６は複数のダウンロードインストラクションを含むものとすることができる。スクリプトファイルを受け取ると、ダウンロードデバイス１３０は、該スクリプトファイルに基づいてハードディスク１３６６から（実行ファイル中の）対応するダウンロードインストラクションを探し始め、該対応するダウンロードインストラクションをＳＲＡＭ１３６４にロードし実行してから、該スクリプトファイルに記述したファイルのダウンロードを始める。ダウンロードが完了した後、そのファイル（ダウンロードしたデータ（downloaded data）と呼ぶ）は、ハードディスク１３６６に保存される。ダウンロードインストラクションおよびダウンロードしたファイルは、同一または異なるハードディスクに保存することができる。
【００１０】
ここで注目すべき点は、処理ユニット１３２を、所要のタスクの実行をプログラム可能なモジュールまたは素子を有するＳＯＰＣ（システムオンプログラマブルチップ）とすることができる点である。例えば、処理ユニット１３２は、内部バスを介して相互接続されたマイクロプロセッサ（例としてＡＲＭプロセッサ）１３２２、メモリコントローラ（未図示）、ＵＳＢコントローラ（未図示）および入力／出力ポートコントローラ（未図示）から主として構成されており、保存ユニットへのアクセスを制御する構成とすることができる。さらに、処理ユニット１３２は、特定のタスクを実行する特定の知的財産（ＩＰ）モジュールを含んでいてもよい。
【００１１】
図２は、本発明によるコンピュータ装置に用いられるデータ転送方法の１実施形態を示すものである。データ転送のリクエストは、コンピュータ装置１１０、１１２または１１４のうちの任意のコンピュータ装置から送られ得ることに注目すべきである。この実施形態では、データ転送のリクエストがコンピュータ装置１１０から送られるものとする。よって、先ず、コンピュータ装置１１０のユーザーインターフェースが開かれてダウンロードプロファイルが設定される（ステップＳ２１０）。続いて、ユーザーインターフェースが閉じられ、ダウンロードプロファイルがスクリプトファイルＳＦ中に保存される。そして、スクリプトファイルＳＦがコンピュータ装置１１０からダウンロードデバイス１３０へ送られる（ステップＳ２２０）。実行されるべきタスクが他になければ、コンピュータ装置１１０を電源オフすることができ（ステップＳ２３０）、これによりコンピュータ装置１１０とダウンロードデバイス１３０の接続が切断され、オフラインとなる。
【００１２】
図３は、本発明によるダウンロードデバイスに用いられるデータ転送方法の第１実施形態を示すものである。この方法は、コンピュータ装置１１０とダウンロードデバイス１３０の接続が切断されている状態の下で実行可能である。コンピュータ装置１１０から送られて来たスクリプトファイルＳＦをダウンロードデバイス１３０が受け取る（ステップＳ３１０）。スクリプトファイルＳＦを受け取った後、ダウンロードデバイス１３０の処理ユニットは、そのスクリプトファイルＳＦに基づいて、それがＰ２Ｐのダウンロードリクエストであるかを判断してから、保存ユニット１３６中から対応するＰ２Ｐダウンロードインストラクションを探し出し（ステップＳ３２０）、それを起動する（ステップＳ３３０）。これによって、ダウンロードデバイス１３０は、接続されたネットワークから、スクリプトファイルＳＦに指定した特定のデータ（ファイル）のダウンロードを行うこととなる。その結果ダウンロードしたデータが保存ユニット１３６に保存される（ステップＳ３４０）。
【００１３】
図２および図３を併せて参照されたい。ダウンロードインストラクションの実行にあたり、コンピュータ装置１１０は、ダウンロードプロファイルの設定だけを行って、スクリプトファイルを生成し、ダウンロードデバイス１３０へ送って実際にダウンロードを実行させる。よって、ダウンロードインストラクションの完了より前にコンピュータ装置１１０を電源オフできるので、大幅な消費電力を図ることができる。
【００１４】
ダウンロードしたデータはダウンロードデバイス１３０の保存ユニット１３６に保存される。図１におけるコンピュータ装置１１２または１１４など別のコンピュータ装置は、必要時にダウンロードデバイス１３０の保存ユニット１３６から該ダウンロードしたデータを容易に要求し取得することができる。
【００１５】
図４は、本発明によるデータシェアリング方法の１実施形態を示すものである。図示されるように、コンピュータ装置１１２がスクリプトファイルＳＦの内容に基づいてデータをダウンロードしようとする場合、コンピュータ装置１１２は先ずダウンロードデバイス１３０にリクエストを送る（ステップＳ４１０）。すると、ダウンロードデバイス１３０は、リクエストしたデータがすでに保存ユニット中にあるか否かを判断する（ステップＳ４２０）。リクエストしたデータがすでに保存ユニット中にある場合（ステップＳ４２０のＹｅｓ）、ダウンロードデバイス１３０はコンピュータ装置１１２に確認（confirmation）を返し、接続インターフェース１２０を介してそのデータをコンピュータ装置１１２に転送する（ステップＳ４３０）。データが見つからなかった場合は（ステップＳ４２０のＮｏ）、ダウンロードデバイス１３０はコンピュータ装置１１２に拒否（rejection）を返す。拒否を受け取ると、コンピュータ装置１１２は通信を終了するか、または、図２の方法を用いて、新たなダウンロードインストラクションをリクエストするための新たなスクリプトファイルをダウンロードデバイス１３０に提供する（ステップＳ４４０）。同様にして、コンピュータ装置１１４もステップＳ４１０〜Ｓ４４０に従って同じデータを取得することができる。このようにして、システム内の全てのコンピュータ装置が容易にデータをシェアできるようになる。
【００１６】
さらに、本発明によるコンピュータシステムは、その他の長い処理時間が要されるタスクを、ダウンロードデバイスに移して行うことで省電力を図りながら、実行することができる。例えば、デジタルビデオブロードキャスト（ＤＶＢ）録画は、該録画に適用されるハードウェアまたはモジュールがダウンロードデバイスに組み込まれている場合に、ダウンロードデバイスに移して実行することができる。
【００１７】
図５は、本発明による別のコンピュータシステム５００の１実施形態を示すものである。このコンピュータシステム５００は、３つのコンピュータ装置５１０、５１２および５１４、接続インターフェース５２０ならびにダウンロードデバイス５３０から主として構成されている。コンピュータ装置５１０、５１２および５１４、接続インターフェース５２０ならびにダウンロードデバイス５３０は、図１のコンピュータ装置１１０、１１２および１１４、接続インターフェース１２０ならびにダウンロードデバイス１３０と同様であり、ＤＶＢ信号を受信し処理するために１つの受信アンテナ５４０、１つの信号処理ユニット５５０および１つのエンコーダ５６０がダウンロードデバイス５３０に備わっている点が異なる。先ず、ＤＶＢ信号を受信アンテナ５４０が受信し、続いて信号処理ユニット５５０がデコードし、さらにエンコーダ５６０が記録可能な信号フォーマットにエンコードする。エンコーダ５６０は、処理装置およびハードウェアの設計に応じて、外部または内部に設置することができる。注目すべき点は、ダウンロードデバイスの保存ユニットにはＤＶＢ録画を行うための対応するダウンロードインストラクションが保存されるため、対応するリクエストを受け取ったときに、ダウンロードデバイスは、ダウンロードインストラクションを実行してＤＶＢ録画を行うという点である。また、信号ユニット５５０は、システムの必要に応じた各種信号処理モジュールを備えるものとすることができる。一部実施形態では、例として、信号処理ユニット５５０が、ＤＶＢ信号処理モジュールまたはケーブルＴＶ信号処理モジュールを備えるようにすることができる。
【００１８】
図６は、本発明によるコンピュータ装置に用いられるデータ転送方法の別の実施形態を示すものである。ここで、データ転送リクエストは、コンピュータ装置５１０、５１２または５１４のうちの任意のコンピュータ装置から送られ得るＤＶＢ録画リクエストである。この実施形態では、リクエストはコンピュータ装置５１０から発せられることとする。先ず、ユーザーインターフェースが開かれ、録画するべきＤＶＢの情報（例えばチャンネル番号、録画開始または終了時間など）を含むＤＶＢプロファイルが設定される（ステップＳ６１０）。設定が完了したら、ユーザーインターフェースが閉じられ、ＤＶＢプロファイルがスクリプトファイルＳＦ２中に保存される。よってスクリプトファイルＳＦ２には録画するチャンネルおよび時間の情報が含まれることとなる。次に、コンピュータ装置５１０からスクリプトファイルＳＦ２がダウンロードデバイス５３０へ送られる（ステップＳ６２０）。実行するべき新たな作業がなければ、コンピュータ装置５１０を電源オフすることができ（ステップＳ６３０）、これによりコンピュータ装置５１０とダウンロードデバイス５３０の接続が切られ、コンピュータ装置５１０がオフラインとなる。
【００１９】
図７は、本発明によるダウンロードデバイス側で用いられるデータ転送方法の別の実施形態を示すものである。該方法は、コンピュータ装置５１０とダウンロードデバイス５３０の接続が切断されている状態で実施することができる。先ず、ダウンロードデバイス５３０がコンピュータ装置５１０からのスクリプトファイルＳＦ２を受け取る（ステップＳ７１０）。スクリプトファイルＳＦ２を受け取ると、ダウンロードデバイス５３０の処理ユニットは、スクリプトファイルの内容に基づいて、そのリクエストがＤＶＢ録画のリクエストであるかを判断してから、保存ユニット５３６中から対応するＤＶＢ録画ダウンロードインストラクションを探し出し（ステップＳ７２０）、それを実行する（ステップＳ７３０）。よって、ダウンロードデバイス５３０は、受信アンテナ５４０、信号処理ユニット５５０およびエンコーダ５６０を介し、スクリプトファイルＳＦ２の内容に基づいて、ＤＶＢを受信し録画する。ダウンロードインストラクションが完了すると、ダウンロードしたＤＶＢプログラムが保存ユニット５３６（ステップＳ７４０）に保存され、これによってコンピュータシステム５００における全てのコンピュータ装置が、保存されたＤＶＢプログラムをシェアできるようになる。
【００２０】
以上、好適な実施形態を挙げて本発明を説明したが、本発明はこれら実施形態に限定はされないと解されるべきであり、つまり本発明は、（当業者であれば自明であるような）各種変更および均等なアレンジをカバーするものである。上に掲げた実施形態は、本発明の原理を説明するための最良の態様を提示すべく選択し記載したものである。即ち、添付の特許請求の範囲は、かかる各種変更および均等なアレンジが全て包含されるように、最も広い意味に解釈されるべきである。
【図面の簡単な説明】
【００２１】
【図１】本発明の１実施形態によるコンピュータシステムの概略図である。
【図２】本発明の１実施形態による、コンピュータ装置に用いられるデータ転送方法のフローチャートである。
【図３】本発明の１実施形態による、ダウンロードデバイスに用いられるデータ転送方法のフローチャートである。
【図４】本発明の１実施形態によるデータシェアリング方法のフローチャートである。
【図５】本発明の別の実施形態によるコンピュータシステムの概略図である。
【図６】本発明の別の実施形態による、コンピュータ装置に用いられるデータ転送方法のフローチャートである。
【図７】本発明の別の実施形態による、ダウンロードデバイスに用いられるデータ転送方法のフローチャートである。
【符号の説明】
【００２２】
１００      コンピュータシステム
１１０、１１２、１１４      コンピュータ装置
１２０      接続インターフェース
１３０      ダウンロードデバイス
１３２      処理ユニット
１３２２      ＡＲＭプロセッサ
１３４      ネットワークインターフェース
１３６      保存ユニット
１３６２      ＦＬＡＳＨメモリ
１３６４      ＳＲＡＭ
１３６６      ハードディスク
５００      コンピュータシステム
５１０、５１２、５１４      コンピュータ装置
５２０      接続インターフェース
５３０      ダウンロードデバイス
５３２      処理ユニット
５３４      ネットワークインターフェース
５３６      保存ユニット
５４０      受信アンテナ
５５０      信号処理ユニット
５６０      エンコーダ
【図１】
2008158603.tif 000003
【図２】
2008158603.tif 000004
【図３】
2008158603.tif 000005
【図４】
2008158603.tif 000006
【図５】
2008158603.tif 000007
【図６】
2008158603.tif 000008
【図７】
2008158603.tif 000009